(57)【特許請求の範囲】
【請求項１】
第一の無線通信装置から第二の無線通信装置にあらかじめ定められた信号系列のパイロット信号を送信し、
前記第二の無線通信装置では、受信信号とパイロット信号系列との相関電力を一定の時間範囲で算出して遅延プロファイルとし、この遅延プロファイルに基づいて前記第一の無線通信装置に設定すべき送信タイミングオフセット値を求め、その送信タイミングオフセット値を前記第一の無線通信装置に通知し、
前記第一の無線通信装置は、前記第二の無線通信装置から通知された送信タイミングオフセット値に基づいて自分の送信タイミングをオフセットさせる
適応送信タイミング制御方法において、
一度の送信タイミング制御で設定される送信タイミングオフセット量に制限を設け、
前記第二の無線通信装置は、オフセットされた送信タイミングで送信されたパイロット信号から算出される遅延プロファイルの主要部が現在の遅延プロファイルを算出したときの時間範囲に含まれるように送信タイミングオフセット値を設定するとともに、次の遅延プロファイルを算出するための時間範囲を、オフセットされた送信タイミングで送信されるパイロット信号から算出される遅延プロファイルが最初の部分から含まれるように移動させる
ことを特徴とする適応送信タイミング制御方法。
【請求項２】
遅延プロファイル内で相関電力値がしきい値を越えるサンプルを到来パス、これらの到来パスのうちあらかじめ定められた基準により選択された一つのパスを基準パスとし、
オフセットされた送信タイミングで送信されたパイロット信号から算出される遅延プロファイルのうち少なくとも前記基準パスが現在の遅延プロファイルを算出したときの時間範囲に含まれるように送信タイミングオフセット値を設定するとともに、次の遅延プロファイルを算出するための時間範囲を、オフセットされた送信タイミングで送信されたパイロット信号から算出される遅延プロファイルの最初の到来パスが所定の区間内に含まれるように移動させる
請求項１記載の適応送信タイミング制御方法。
【請求項３】
到来パスのうちあらかじめ定められたしきい値を越えるものを準基準パスとし、オフセットされた送信タイミングで送信されたパイロット信号から算出される遅延プロファイルのうち前記基準パスと前記準基準パスとが現在の遅延プロファイルを算出したときの時間範囲に含まれるように送信タイミングオフセット値を設定する請求項２記載の適応送信タイミング制御方法。
【請求項４】
前記所定の区間は前記遅延プロファイルを算出するための時間範囲のうち先頭タイミング位置からＢstartサンプルとＢendサンプルとの間の範囲であり、次の遅延プロファイルを算出するための時間範囲をγ=Ｂend−Ｂstart＋１サンプル単位で移動させる請求項２記載の適応送信タイミング制御方法。ただし、Ｂstart、ＢendはＢstart≦Ｂendなる自然数である。
【請求項５】
オフセットされた送信タイミングで送信されたパイロット信号から算出される遅延プロファイルのうち少なくとも前記基準パスが現在の遅延プロファイルを算出したときの時間範囲内のあらかじめ定められた区間内に含まれ、かつ前記基準パスの時間位置が最終的に要求されるオフセット位置に近づくように送信タイミングオフセット値を設定する請求項２記載の適応送信タイミング制御方法。
【請求項６】
オフセットされた送信タイミングで送信されたパイロット信号から算出される遅延プロファイルのうち前記基準パスおよび前記準基準パスが現在の遅延プロファイルを算出したときの時間範囲内のあらかじめ定められた区間内に含まれ、かつ前記基準パスの時間位置が最終的に要求されるオフセット位置に近づくように送信タイミングオフセット値を設定する請求項３記載の適応送信タイミング制御方法。
【請求項７】
前記あらかじめ定められた区間は、前記遅延プロファイルを算出するための時間範囲の先頭タイミング位置からあらかじめ定められたＡサンプルの範囲である請求項５または６記載の適応送信タイミング制御方法。ただしＡは自然数である。
【請求項８】
到来パスのうち最大電力レベルを有するものを基準パスとする請求項２記載の適応送信タイミング制御方法。
【請求項９】
到来パスのうち最大電力レベルを有するものを基準パスとし、あらかじめ定められた電力レベルを越える到来パスを準基準パスとする請求項３記載の適応送信タイミング制御方法。
【請求項１０】
前記基準パスとのタイミング差があらかじめ定められたβサンプル以下の到来パスを準基準パスとする請求項３記載の適応送信タイミング制御方法。
【請求項１１】
到来パスのうち最大電力レベルを有するものを基準パスとし、あらかじめ定められた電力レベルを越え、かつ前記基準パスとのタイミング差があらかじめ定められたβサンプル以下の到来パスを準基準パスとする請求項３記載の適応送信タイミング制御方法。
【請求項１２】
前記あらかじめ定められた電力レベルとして、前記基準パスの電力レベルをあらかじめ定められた量αｄＢ減衰させた電力レベルを用いる請求項９または１１記載の適応送信タイミング制御方法。
【請求項１３】
前記あらかじめ定められた電力レベルとして、ノイズレベルをあらかじめ定められた量α'ｄＢ増幅させた電力レベルを用いる請求項９または１１記載の適応送信タイミング制御方法。
【請求項１４】
第一の無線通信装置と第二の無線通信装置とを備え、
前記第一の無線通信装置は、第二の無線通信装置にあらかじめ定められた信号系列のパイロット信号を送信する手段（１０６、１０８）を備え、
前記第二の無線通信装置は、受信信号とパイロット信号系列との相関電力を一定の時間範囲で算出して遅延プロファイルとする遅延プロファイル算出部（２０５）と、この遅延プロファイルに基づいて前記第一の無線通信装置に設定すべき送信タイミングオフセット値を求める送信タイミングオフセット量算出部（２０９）と、その送信タイミングオフセット値を前記第一の無線通信装置に通知する手段（２１１、２１２）とを備え、
前記第一の無線通信装置はさらに、前記第二の無線通信装置から通知された送信タイミングオフセット値に基づいて自分の送信タイミングをオフセットさせる送信タイミング制御部（１０７）を備えた
無線通信ンシステムにおいて、
前記送信タイミングオフセット量算出部（２０９）は、一度の送信タイミング制御で設定される送信タイミングオフセット量に制限を設け、オフセットされた送信タイミングで送信されたパイロット信号から算出される遅延プロファイルの主要部が現在の遅延プロファイルを算出したときの時間範囲に含まれるように送信タイミングオフセット値を設定する構成であり、
前記第二の無線通信装置はさらに、オフセットされた送信タイミングで送信されるパイロット信号から算出される遅延プロファイルが最初の部分から含まれるような遅延プロファイル算出範囲オフセット量を算出して、次の遅延プロファイルを算出するための時間範囲として前記遅延プロファイル算出部（２０５）に設定する遅延プロファイル算出範囲オフセット量算出部（２１０）を備えた
ことを特徴とする無線通信システム。
【請求項１５】
前記第二の無線通信装置は、遅延プロファイル内で相関電力値がしきい値を越えるサンプルを到来パスと推定するパス検出部（２０６）と、推定された検出パスからあらかじめ定められた基準によりひとつのパスを基準パスとして選択する基準パス検出部（２０７）と含み、
前記送信タイミングオフセット量算出部（２０９）は、オフセットされた送信タイミングで送信されたパイロット信号から算出される遅延プロファイルのうち少なくとも前記基準パスが現在の遅延プロファイルを算出したときの時間範囲に含まれるように送信タイミングオフセット値を設定する構成であり、
前記遅延プロファイル算出範囲オフセット量算出部（２１０）は、次の遅延プロファイルを算出するための時間範囲として、オフセットされた送信タイミングで送信されたパイロット信号から算出される遅延プロファイルの最初の到来パスが所定の区間内に含まれるような遅延プロファイル算出範囲オフセット量を算出する構成である
請求項１４記載の無線通信システム。
【請求項１６】
前記第二の無線通信装置は、到来パスのうちあらかじめ定められたしきい値を越えるものを準基準パスとして検出する準基準パス検出部（３０９）を備え、
前記送信タイミングオフセット量算出部は、オフセットされた送信タイミングで送信されたパイロット信号から算出される遅延プロファイルのうち前記基準パスと前記準基準パスとが現在の遅延プロファイルを算出したときの時間範囲に含まれるように送信タイミングオフセット値を設定する構成である
請求項１５記載の無線通信ンシステム。
【請求項１７】
前記第二の無線通信装置は基地局であり、前記第一の無線通信装置は前記基地局と直接拡散符号分割多重マルチプルアクセス方式で通信を行う端末である請求項１４ないし１６のいずれか記載の無線通信システム。
【請求項１８】
受信信号とパイロット信号系列との相関電力を一定の時間範囲で算出して遅延プロファイルとする遅延プロファイル算出部（２０５）と、この遅延プロファイルに基づいて各端末に設定すべき送信タイミングオフセット値を求める送信タイミングオフセット量算出部（２０９）と、その送信タイミングオフセット値を各端末に通知する手段（２１１、２１２）とを備えた無線通信装置において、
前記送信タイミングオフセット量算出部（２０９）は、一度の送信タイミング制御で設定される送信タイミングオフセット量に制限を設け、オフセットされた送信タイミングで送信されたパイロット信号から算出される遅延プロファイルの主要部が現在の遅延プロファイルを算出したときの時間範囲に含まれるように送信タイミングオフセット値を設定する構成であり、
オフセットされた送信タイミングで送信されるパイロット信号から算出される遅延プロファイルが最初の部分から含まれるような遅延プロファイル算出範囲オフセット量を算出して、次の遅延プロファイルを算出するための時間範囲として前記遅延プロファイル算出部（２０５）に設定する遅延プロファイル算出範囲オフセット量算出部（２１０）を備えた
ことを特徴とする無線通信装置。
【発明の詳細な説明】
【技術分野】
【０００１】
本発明は送信タイミングオフセット制御を行う無線通信システムに関する。
【背景技術】
【０００２】
無線通信において、基地局における端末間の受信タイミング同期を維持するため、適応送信タイミング制御を行うことが提案されている（非特許文献１参照）。ＤＳ−ＣＤＭＡ（Direct Spread Code Division Multiple Access、直接拡散符号分割多重アクセス）によるマルチプルアクセス方式では、基地局における端末間の受信タイミング同期が確保されることにより、基地局に対して同時にアクセスする端末間で基準パス間の直交性を確保でき、周波数利用効率を向上させることができる。
【０００３】
図９ないし図１１を参照して従来の適応送信タイミング制御を説明する。図９は基地局における端末ＭＳ１の遅延プロファイルの一例を示し、図１０は基地局で端末ＭＳ１、ＭＳ２の遅延プロファイルを求めた例を示し、図１１はタイミング制御後の遅延プロファイルを示す。
【０００４】
適応送信タイミング制御を行うためには、まず、送受信間であらかじめ決められた信号系列（パイロット信号）を送信側で挿入しておく。受信側では、受信信号とパイロット信号との畳み込み和を取り、相関電力（遅延プロファイル）を一定時間分だけ求める。この一定時間を遅延プロファイル算出範囲Ｗ1〜（Ｗ1＋Ｓ）という。また、この範囲内のサンプルでパスレベルしきい値を超えるサンプルを到来パスと呼ぶ。図９に示した例では、Ｐａｔｈ＃１、Ｐａｔｈ＃２、Ｐａｔｈ＃３が到来パスとして観測されている。これらの到来パスのうち、最大電力レベルを有するＰａｔｈ＃２を基準パスとする（最小タイミングをもつＰａｔｈ  ＃１を基準パスとする方法も考えられる）。
【０００５】
基地局では、到来パスの最大の伝搬遅延時間（Ｔmax）と、各端末ＭＳ１、ＭＳ２の基準パスＴ1、  Ｔ2の伝搬遅延時間（Ｔmax−Ｔ1）および（Ｔmax−Ｔ2）を計算し、ＭＳ１への制御情報に（Ｔmax−Ｔ1）、ＭＳ２への制御情報に（Ｔmax−Ｔ2）を付加して、各端末にそれぞれの送信タイミングオフセット値を通知する。各端末では制御情報を復調し、基地局から通知された送信タイミングオフセット量分だけ送信タイミングをオフセットさせ送信する。以上の動作により、図１１に示すように、基地局において各端末間の基準パスタイミング同期がＴmax位置で確立する。
【０００６】
【非特許文献１】電子情報通信学会  信学技法  ＲＣＳ２００３−１４１
【発明の開示】
【発明が解決しようとする課題】
【０００７】
図１２および図１３は、送信タイミングオフセット量が現在の遅延プロファイル算出範囲を外れるほど大きく変化する場合の遅延プロファイル例を示す。
【０００８】
送信タイミングオフセット量がこのように大きく変化した場合、図１２に示すように、端末が送信タイミングをＴmax−Ｔ1 分だけ遅らせると同時に、基地局でも遅延プロファイル算出範囲をＴmax−Ｔ1 分だけ遅らせる方法が考えられる。しかしながら、端末側において基地局から通知される送信タイミングオフセット情報を含む制御情報の復調に失敗し、端末側で送信タイミングオフセットが更新されなかった場合、図１３に示すように基準パス位置は移動せず、基地局での遅延プロファイル算出範囲のみ移動するため、基準パスが遅延プロファイル算出範囲から外れてしまう。このため、基地局側でパスを見失うことになり、適応送信タイミング制御が破綻する。
【０００９】
本発明の目的は、送信タイミングオフセット量が現在の遅延プロファイル算出範囲を外れるほど大きく変化し、端末側が送信タイミングオフセット量を含む制御情報の復調に失敗した場合でも、基地局側でパスを見落とすことなく適応送信タイミング制御を行うことのできる無線通信システムを提供することにある。
【課題を解決するための手段】
【００１０】
本発明は、送信タイミングオフセットの変化量の上限値を基準パスが現在の遅延プロファイル算出範囲から外れない範囲に設定し、遅延プロファイル算出範囲は最小タイミングを持つ到来パスが遅延プロファイル算出範囲の一定区間にくるように後から追従させることを最大の特徴とする。基準パスに加えて１または複数の準基準パスを求め、これらの準基準パスもまた遅延プロファイル算出範囲から外れない範囲に設定することができる。
【００１１】
すなわち、本発明の第一の観点によると、第一の無線通信装置から第二の無線通信装置にあらかじめ定められた信号系列のパイロット信号を送信し、前記第二の無線通信装置では、受信信号とパイロット信号系列との相関電力を一定の時間範囲で算出して遅延プロファイルとし、この遅延プロファイルに基づいて前記第一の無線通信装置に設定すべき送信タイミングオフセット値を求め、その送信タイミングオフセット値を前記第一の無線通信装置に通知し、前記第一の無線通信装置は、前記第二の無線通信装置から通知された送信タイミングオフセット値に基づいて自分の送信タイミングをオフセットさせる適応送信タイミング制御方法において、一度の送信タイミング制御で設定される送信タイミングオフセット量に制限を設け、前記第二の無線通信装置は、オフセットされた送信タイミングで送信されたパイロット信号から算出される遅延プロファイルの主要部が現在の遅延プロファイルを算出したときの時間範囲に含まれるように送信タイミングオフセット値を設定するとともに、次の遅延プロファイルを算出するための時間範囲を、オフセットされた送信タイミングで送信されるパイロット信号から算出される遅延プロファイルが最初の部分から含まれるように移動させることを特徴とする適応送信タイミング制御方法が提供される。
【００１２】
遅延プロファイル内で相関電力値がしきい値を越えるサンプルを到来パス、これらの到来パスのうちあらかじめ定められた基準により選択された一つのパスを基準パスとし、オフセットされた送信タイミングで送信されたパイロット信号から算出される遅延プロファイルのうち少なくとも前記基準パスが現在の遅延プロファイルを算出したときの時間範囲に含まれるように送信タイミングオフセット値を設定するとともに、次の遅延プロファイルを算出するための時間範囲を、オフセットされた送信タイミングで送信されたパイロット信号から算出される遅延プロファイルの最初の到来パスが所定の区間内に含まれるように移動させることが望ましい。
【００１３】
到来パスのうちあらかじめ定められたしきい値を越えるものを準基準パスとし、オフセットされた送信タイミングで送信されたパイロット信号から算出される遅延プロファイルのうち前記基準パスと前記準基準パスとが現在の遅延プロファイルを算出したときの時間範囲に含まれるように送信タイミングオフセット値を設定することもできる。
【００１４】
前記所定の区間は前記遅延プロファイルを算出するための時間範囲のうち先頭タイミング位置からＢstartサンプルとＢendサンプルとの間の範囲であり、次の遅延プロファイルを算出するための時間範囲をγ=Ｂend−Ｂstart＋１サンプル単位で移動させることができる。ただし、Ｂstart、ＢendはＢstart≦Ｂendなる自然数である。
【００１５】
オフセットされた送信タイミングで送信されたパイロット信号から算出される遅延プロファイルのうち少なくとも基準パス、場合によっては基準パスおよび準基準パス、が現在の遅延プロファイルを算出したときの時間範囲内のあらかじめ定められた区間内に含まれ、かつ基準パスの時間位置が最終的に要求されるオフセット位置に近づくように送信タイミングオフセット値を設定することが望ましい。
【００１６】
前記あらかじめ定められた区間は、前記遅延プロファイルを算出するための時間範囲の先頭タイミング位置からあらかじめ定められたＡサンプルの範囲であることがよい。
【００１７】
基準パスとしては、到来パスのうち最大電力レベルを有するもの用いることができる。また、準基準パスとしては、あらかじめ定められた電力レベルを越える到来パスを用いるか、基準パスとのタイミング差があらかじめ定められたβサンプル以下の到来パスを用いるか、あるいは、あらかじめ定められた電力レベルを越え、かつ前記基準パスとのタイミング差があらかじめ定められたβサンプル以下の到来パスを用いることができる。
【００１８】
前記あらかじめ定められた電力レベルとして、前記基準パスの電力レベルをあらかじめ定められた量αｄＢ減衰させた電力レベル、あるいは、ノイズレベルをあらかじめ定められた量α'ｄＢ増幅させた電力レベルを用いることができる。
【００１９】
本発明の第二の観点によると、第一の無線通信装置と第二の無線通信装置とを備え、前記第一の無線通信装置は、第二の無線通信装置にあらかじめ定められた信号系列のパイロット信号を送信する手段を備え、前記第二の無線通信装置は、受信信号とパイロット信号系列との相関電力を一定の時間範囲で算出して遅延プロファイルとする遅延プロファイル算出部と、この遅延プロファイルに基づいて前記第一の無線通信装置に設定すべき送信タイミングオフセット値を求める送信タイミングオフセット量算出部と、その送信タイミングオフセット値を前記第一の無線通信装置に通知する手段とを備え、前記第一の無線通信装置はさらに、前記第二の無線通信装置から通知された送信タイミングオフセット値に基づいて自分の送信タイミングをオフセットさせる送信タイミング制御部を備えた無線通信ンシステムにおいて、前記送信タイミングオフセット量算出部は、一度の送信タイミング制御で設定される送信タイミングオフセット量に制限を設け、オフセットされた送信タイミングで送信されたパイロット信号から算出される遅延プロファイルの主要部が現在の遅延プロファイルを算出したときの時間範囲に含まれるように送信タイミングオフセット値を設定する構成であり、前記第二の無線通信装置はさらに、オフセットされた送信タイミングで送信されるパイロット信号から算出される遅延プロファイルが最初の部分から含まれるような遅延プロファイル算出範囲オフセット量を算出して、次の遅延プロファイルを算出するための時間範囲として前記遅延プロファイル算出部に設定する遅延プロファイル算出範囲オフセット量算出部を備えたことを特徴とする無線通信システムが提供される。
【００２０】
前記第二の無線通信装置は、遅延プロファイル内で相関電力値がしきい値を越えるサンプルを到来パスと推定するパス検出部と、推定された検出パスからあらかじめ定められた基準によりひとつのパスを基準パスとして選択する基準パス検出部と含み、前記送信タイミングオフセット量算出部は、オフセットされた送信タイミングで送信されたパイロット信号から算出される遅延プロファイルのうち少なくとも前記基準パスが現在の遅延プロファイルを算出したときの時間範囲に含まれるように送信タイミングオフセット値を設定する構成であり、前記遅延プロファイル算出範囲オフセット量算出部は、次の遅延プロファイルを算出するための時間範囲として、オフセットされた送信タイミングで送信されたパイロット信号から算出される遅延プロファイルの最初の到来パスが所定の区間内に含まれるような遅延プロファイル算出範囲オフセット量を算出する構成であることが望ましい。
【００２１】
前記第二の無線通信装置は、到来パスのうちあらかじめ定められたしきい値を越えるものを準基準パスとして検出する準基準パス検出部を備えることができ、前記送信タイミングオフセット量算出部は、オフセットされた送信タイミングで送信されたパイロット信号から算出される遅延プロファイルのうち前記基準パスと前記準基準パスとが現在の遅延プロファイルを算出したときの時間範囲に含まれるように送信タイミングオフセット値を設定する構成とすることができる。
【００２２】
前記第二の無線通信装置を基地局として用い、前記第一の無線通信装置を前記基地局と直接拡散符号分割多重アクセスによるマルチプルアクセス方式で通信を行う端末として用いることができる。
【００２３】
さらに、本発明の他の観点によると、受信信号とパイロット信号系列との相関電力を一定の時間範囲で算出して遅延プロファイルとする遅延プロファイル算出部と、この遅延プロファイルに基づいて各端末に設定すべき送信タイミングオフセット値を求める送信タイミングオフセット量算出部と、その送信タイミングオフセット値を各端末に通知する手段とを備えた無線通信装置において、前記送信タイミングオフセット量算出部は、一度の送信タイミング制御で設定される送信タイミングオフセット量に制限を設け、オフセットされた送信タイミングで送信されたパイロット信号から算出される遅延プロファイルの主要部が現在の遅延プロファイルを算出したときの時間範囲に含まれるように送信タイミングオフセット値を設定する構成であり、オフセットされた送信タイミングで送信されるパイロット信号から算出される遅延プロファイルが最初の部分から含まれるような遅延プロファイル算出範囲オフセット量を算出して、次の遅延プロファイルを算出するための時間範囲として前記遅延プロファイル算出部に設定する遅延プロファイル算出範囲オフセット量算出部を備えたことを特徴とする無線通信装置が提供される。
【発明の効果】
【００２４】
本発明によれば、適応送信タイミング制御方法において、一度に変化させる送信タイミングオフセット量に上限を設定し、遅延プロファイル算出範囲は送信タイミングの変化に追従させオフセットさせることで、端末において送信タイミングオフセット量を含む制御情報の復調を誤った際にも基地局側で基準パスの見落としを防止できるという効果が得られる
【発明を実施するための最良の形態】
【００２５】
次に本発明の実施例について図面を参照して説明する。
【実施例１】
【００２６】
図１および図２は本発明の第一の実施例を示すブロック構成図であり、第一の無線通信装置と第二の無線通信装置のそれぞれの構成例を示す。
【００２７】
図１に示した第一の無線無線装置は、アンテナ１０１と、送受信共用器（ＤＵＰ：duplexer）１０２と、受信部１０３と、信号分離部１０４と、制御信号復調部１０５と、信号合成部１０６と、送信タイミング制御部１０７と、送信部１０８とを含んで構成される。
【００２８】
受信部１０３はアンテナ１０１および送受信共用器１０２を介して受信した第二の無線通信装置からの信号を信号分離部１０４に送出する。信号分離部１０４はデータ信号と制御信号を分離し、制御信号を制御信号復調部１０５に送出する。制御信号復調部１０５は制御信号を復調して、復調された制御情報の内の送信タイミングオフセット量を送信タイミング制御部１０７に送出する。信号合成部１０６で送信データ信号とパイロット信号を合成し、送信タイミング制御部１０７で送信タイミングオフセット量分信号を遅延させた後、送信部１０８と送受信共用器１０２を介してアンテナ１０１より第二無線通信装置へ送出する。
【００２９】
図２に示した第二の無線通信装置は、アンテナ２０１と、送受信共用器２０２と、受信部２０３と、データ復調部２０４と、遅延プロファイル算出部２０５と、パス検出部２０６と、基準パス検出部２０７と、先頭パス検出部２０８と、送信タイミングオフセット量算出部２０９と、遅延プロファイル算出範囲オフセット量算出部２１０と、信号合成部２１１と、送信部２１２とを含んで構成される。
【００３０】
受信部２０３は、アンテナ２０１および送受信共用器２０２を介して受信した第一の無線通信装置からの信号を、データ復調部２０４と遅延プロファイル算出部２０５に送出する。
【００３１】
遅延プロファイル算出部２０５は、パイロット信号に対して、フレームの先頭（ＦＨ： Frame Head）から遅延プロファイル算出範囲オフセット値分だけ進んだ位置から、パイロット系列とのスライディング相関を遅延プロファイル長求め、これを電力レベルに変換する。パス検出部２０６は、遅延プロファイルの中から、パスレベルしきい値を超える到来パスを検出する。データ復調部２０４は、検出された到来パスに基づいて、受信データを復調する。基準パス検出部２０７は、パス検出部２０６で検出された到来パスから、電力レベルが最大（もしくは最小パスタイミング）である到来パスを基準パスとして選択する。先頭パス検出部２０８は、パス検出部２０６で検出された到来パスから、最小パスタイミングである到来パスを先頭パスとして選択する。送信タイミングオフセット量算出部２０９では、基準パスが現在の遅延プロファイル算出範囲から外れない範囲（送信タイミング・基準パス範囲）内において、次回に第一の無線通信装置で送信時に付けるべき送信オフセット量を算出する。遅延プロファイル算出範囲オフセット量算出部２１０では、先頭パスが遅延プロファイル算出区間（Ｓ＋１）の一定位置（遅延プロファイル・先頭パス範囲）内に入っているか判定する。遅延プロファイル・先頭パス範囲内に入っていない場合、遅延プロファイル算出範囲オフセットを調整し、先頭パスが遅延プロファイル・先頭パス範囲内に入るよう遅延プロファイル算出範囲オフセットを更新する。
【００３２】
信号合成部２１１では送信データ信号と送信タイミングオフセット量（制御情報）を合成し、送信部２１２と送受信共用器２０２を介してアンテナ２０１より第一の無線通信装置へ送出する。
【００３３】
図３は図２に示した送信タイミングオフセット量算出部２０９の動作を説明する図である。送信タイミングオフセット量算出部２０９では基準パスＰａｔｈ＃２が遅延プロファイル算出範囲の先頭位置からＡサンプル以内（送信タイミングシフト・パス範囲）に収まる値を上限値とし、基準パスが基準パス同期タイミング位置Ｔmaxに近づくよう送信タイミングオフセット量を調整する。図３は現在の送信タイミングオフセット量にＡを加算し、基準パスＰａｔｈ＃２が送信タイミングシフト・パス範囲の末尾に来るよう調整している。Ａを遅延プロファイル算出範囲長に近づけて設定するに従いＴmaxへの収束は早くなるが、ユーザが基地局から離れると基準パスタイミング値が大きくなり、基準パスが遅延プロファイル算出範囲から外れる可能性がある。Ａを小さく設定するに従いＴmaxへの収束は遅くなるが、ユーザが基地局から離れ、基準パスタイミング値が大きくなった場合も、基準パスが遅延プロファイル算出範囲から外れる可能性は低くなる。加えて基準パス以外のパスもサーチ窓から外れない確率が高まり、Ｔmaxへの収束までのマルチパスを利用した特性改善効果が見込める。
【００３４】
図４は図２に示した遅延プロファイル算出範囲オフセット量算出部２１０の動作を説明する図である。遅延プロファイル・先頭パス範囲を遅延プロファイル算出区間（Ｓ＋１）の一定位置に固定しておき、最小タイミングを持つ到来パス（先頭パス）であるＰａｔｈ＃１が遅延プロファイル・先頭パス範囲に入っていない場合、Ｐａｔｈ＃１が遅延プロファイル・先頭パス範囲内に入るよう遅延プロファイル算出範囲オフセット量を更新する。図４では遅延プロファイル算出範囲オフセット量をＷ１からＷ３に更新することで先頭パスＰａｔｈ＃１が遅延プロファイル・先頭パス範囲内に入っている。遅延プロファイル算出区間開始位置に対する遅延プロファイル・基準パス範囲の開始位置をＢstartサンプル、遅延プロファイル算出区間の開始タイミング位置に対する遅延プロファイル・先頭パス範囲の終了位置をＢendサンプル、遅延プロファイル算出範囲オフセット量調整単位をγサンプルとした場合、γ＝（Ｂend−Ｂstart＋１）の関係式を満たすようＢend、Ｂstart、γを設定することで、先頭パスが遅延プロファイル・先頭パス範囲に入る遅延プロファイル算出範囲オフセット量の調整量が一意に決まる。ただしＢstart、ＢendはＢstart≦Ｂendなる自然数である。最終的には図５に示す先頭パスが遅延プロファイル・先頭パス範囲内かつ基準パスが同期タイミング位置Ｔmaxにくるよう制御される。
【００３５】
データ復調部２０４および遅延プロファイル算出部２０５の詳細については、ＤＳ−ＣＤＭＡの一般的な構成を適用可能なため、詳細な説明は省略する。
【００３６】
以上の動作により、端末側で送信タイミングオフセットを誤って復調した際に生じる基準パスの見落としを防止することが可能である。
【実施例２】
【００３７】
図６は本発明の第二の実施例における第二の無線通信装置のブロック構成図である。第一の無線通信装置の構成は第一の実施例と同様である。
【００３８】
この無線通信装置は、アンテナ３０１と、送受信共用器３０２と、受信部３０３と、データ復調部３０４と、遅延プロファイル算出部３０５と、パス検出部３０６と、基準パス検出部３０７と、先頭パス検出部３０８と、準基準パス検出部３０９と、送信タイミングオフセット量算出部３１０と、遅延プロファイル算出範囲オフセット量算出部３１１と、信号合成部３１２と、送信部３１３とを含んで構成される。本実施例の第二の無線通信装置の第一の実施例における第二の無線通信装置との違いは、準基準パス検出部３０９が追加されたこと、および送信タイミングオフセット量算出部３１０の動作である。これらを以下で説明する。
【００３９】
図７を用いて図６の準基準パス検出部３０９の動作を説明する。準基準パス検出部３０９では、パス検出部３０６で検出した到来パスの中から準基準パスしきい値をクリアするパスを準基準パスとして選択する。準基準パスしきい値としては、準基準パスレベルしきい値と準基準パスタイミングしきい値の２種類を設定し、電力が準基準パスレベルしきい値以上であり、基準パスとのタイミング差が準基準パスタイミングしきい値以下である基準パス以外の到来パスを準基準パスとして選択する。準基準パスレベルしきい値には基準パスからの電力レベル減衰量がαｄＢのレベル位置を設定する方法、もしくはノイズレベルからの電力増幅量がα’ｄＢのレベル位置を設定する方法を用いる。ノイズレベルの算出法としては、遅延プロファイル算出区間の到来パス以外の電力を平均したものを用いる方法が考えられる。準基準パスタイミングしきい値には基準パスのタイミングから±βサンプルのタイミング位置を設定する。図７では、準基準パスレベルしきい値と準基準パスタイミングしきい値の両方をクリアしているＰａｔｈ＃１，Ｐａｔｈ＃３が準基準パスとなる。
【００４０】
図８は図６の送信タイミングオフセット量算出部３１０の動作を説明する図である。送信タイミングオフセット量算出部３１０では、基準パスおよび準基準パスが送信タイミングシフト・パス範囲に収まる値を上限値とし、基準パスがＴmaxに近づくよう送信タイミングオフセット量を算出する。図８では、現在の送信タイミングオフセット量にＡを加算し、準基準パスＰａｔｈ＃３が送信タイミングシフト・パス範囲の末尾に来るよう調整される。
【００４１】
第二の実施例では、基準パスに加え、タイミング、レベルが基準パスに近い準基準パスも遅延プロファイル算出範囲から外れないため、誤り率の改善につながる。
【図面の簡単な説明】
【００４２】
【図１】本発明の第一の実施例における第一の無線通信装置のブロック構成図。
【図２】本発明の第一の実施例における第二の無線通信装置のブロック構成図。
【図３】送信タイミングオフセット量算出部の動作説明図。
【図４】遅延プロファイル算出範囲オフセット量算出部の動作説明図。
【図５】送信タイミング制御の定常状態を説明する図。
【図６】本発明の第二の実施例における第二の無線通信装置のブロック構成図。
【図７】準基準パス検出部の動作説明図。
【図８】送信タイミングオフセット量算出部の動作説明図。
【図９】遅延プロファイルを説明するための図。
【図１０】従来の適応送信タイミング制御方法を説明する図。
【図１１】従来の適応送信タイミング制御方法を説明する図。
【図１２】本発明が解決しようとする課題を説明する図。
【図１３】本発明が解決しようとする課題を説明する図。
【符号の説明】
【００４３】
１０１、２０１、３０１  アンテナ
１０２、２０２、３０２  送受信共用器
１０３、２０３、３０３  受信部
１０４  信号分離部
１０５  制御信号復調部
１０６、２１１、３１２  信号合成部
１０７  送信タイミング制御部
１０８、２１２、３１３  送信部
２０４、３０４  データ復調部
２０５、３０５  遅延プロファイル算出部
２０６、３０６  パス検出部
２０７、３０７  基準パス検出部
２０８、３０８  先頭パス検出部
２０９、３１０  送信タイミングオフセット量算出部
２１０、３１１  遅延プロファイル算出範囲オフセット量算出部
３０９  準基準パス検出部
【図１】
0004622727.tif 000002
【図２】
0004622727.tif 000003
【図３】
0004622727.tif 000004
【図４】
0004622727.tif 000005
【図５】
0004622727.tif 000006
【図６】
0004622727.tif 000007
【図７】
0004622727.tif 000008
【図８】
0004622727.tif 000009
【図９】
0004622727.tif 000010
【図１０】
0004622727.tif 000011
【図１１】
0004622727.tif 000012
【図１２】
0004622727.tif 000013
【図１３】
0004622727.tif 000014